(57)【要約】【課題】電動パワーステアリング装置のモータモデルの非線形要素を予め補償してモータモデルを線形化すると共に、不感帯制御を行うことによりノイズの影響を除去し、制御誤差が少なく制御性も安定し、モータ出力のトルクリップルが小さく、更にハンドル操舵フィーリングの良い電動パワーステアリング装置の制御装置を提供する。【解決手段】トルクセンサからのトルク信号に基づいて操舵補助指令値を算出する操舵補助指令値算出部と、前記操舵補助指令値に基づいて電圧指令値を算出する電流制御部と、前記電圧指令値に基づいてモータを駆動するモータ駆動部とで成り、前記モータによるアシスト力を操舵系に付与するようになっている電動パワーステアリング装置の制御装置において、前記モータの逆起電圧を算出する逆起電圧算出部と、前記逆起電圧に不感帯を設定して前記電圧指令値に加算する不感帯補償部とを設ける。【選択図】  図２
2006143008.tif 000002
【特許請求の範囲】
【請求項１】
トルクセンサからのトルク信号に基づいて操舵補助指令値を算出する操舵補助指令値算出部と、前記操舵補助指令値に基づいて電圧指令値を算出する電流制御部と、前記電圧指令値に基づいてモータを駆動するモータ駆動部とで成り、前記モータによるアシスト力を操舵系に付与するようになっている電動パワーステアリング装置の制御装置において、前記モータの逆起電圧を算出する逆起電圧算出部と、前記逆起電圧に不感帯を設定して前記電圧指令値に加算する不感帯補償部とを備えたことを特徴とする電動パワーステアリング装置の制御装置。
【請求項２】
前記不感帯の幅が前記トルク信号に対応して可変となっている請求項１に記載の電動パワーステアリング装置の制御装置。
【請求項３】
前記不感帯の幅が前記操舵補助指令値に対応して可変となっている請求項１に記載の電動パワーステアリング装置の制御装置。
【請求項４】
前記不感帯の幅が前記電圧指令値に対応して可変となっている請求項１に記載の電動パワーステアリング装置の制御装置。
【請求項５】
前記不感帯の幅がハンドル保舵状態に対応して可変となっている請求項１に記載の電動パワーステアリング装置の制御装置。
【請求項６】
前記不感帯の幅がモータ回転速度に対応して可変となっている請求項１に記載の電動パワーステアリング装置の制御装置。
【請求項７】
前記逆起電圧算出部が前記モータの端子間電圧及び電流に基づいて推定値を算出するようになっている請求項１乃至６のいずれかに記載の電動パワーステアリング装置の制御装置。
【発明の詳細な説明】
【技術分野】
【０００１】
本発明は、自動車や車両の操舵系にモータによる操舵補助力を付与するようにした電動パワーステアリング装置の制御装置に関し、特に不感帯を通過させた逆起電圧で電圧指令値を補正するようにした電動パワーステアリング装置の制御装置に関する。
【背景技術】
【０００２】
自動車や車両のステアリング装置をモータの回転力で補助力付勢する電動パワーステアリング装置は、モータの駆動力を減速機を介してギア又はベルト等の伝達機構により、ステアリングシャフト或いはラック軸に補助力付勢するようになっている。かかる従来の電動パワーステアリング装置は、アシストトルク（操舵補助トルク）を高速運転時又は低速運転時、或いは直線走行、カーブ走行又は駐車時など、いかなる状況でも、ハンドル操作がスムーズに実行できるように電動パワーステアリング装置の制御装置において、色々な制御上の工夫を凝らしている。
【０００３】
具体的な従来の制御方式の紹介の前に、電動パワーステアリング装置の制御に関する一般的な説明をする。電動パワーステアリング装置の主制御対象であるモータの電圧、電流の関係を式で表わすと、下記（１）式のように表現できる。
Ｖ＝ＥＭＦ＋（Ｒ＋ｓ・Ｌ）・Ｉ      …（１）
ここで、Ｖはモータの端子電圧、Ｉはモータ巻線電流、Ｒはモータ巻線抵抗値、Ｌ      はモータの巻線インダクタンス値、ｓはラプラス演算子でｄ／ｄｔを表わす。
（１）式における“ＥＭＦ”は逆起電圧を示しており、下記（２）式で表わされる。
ＥＭＦ＝Ｋｅ・ω      …（２）
ここで、Ｋｅは逆起電圧定数、ωはロータ角速度である。
（１）式の第２項である“（Ｒ＋ｓ・Ｌ）・Ｉ”は電気的要素であって線形性がある。しかし、第１項のＥＭＦはモータの逆起電圧であり、モータの角速度ωによって発生し、タイヤからの外力や電動パワーステアリング装置の機械要素の慣性、摩擦などの非線形要素の影響を大きく受ける。そして、一般的に、非線形要素の制御対象は制御し難い。
【０００４】
ここで、制御方式として代表的なフィードバック制御（以下、「ＦＢ制御」と記す）について、簡単に説明する。一般的にＦＢ制御とは、ある制御対象である目標値が、ある基準値と一致するように制御しようとするもので、目標値と基準値との誤差を、例えば比例積分回路（以下、「ＰＩ回路」と記す）などに入力して制御するのが一般的である。そして、このＰＩ制御の入力は、目標値の変化量、外乱やノイズの影響、パラメータの変動など全ての影響が混在した信号である。その中のどの要素が、どのように制御に影響しているかということはとりあえず関係なく、とにかく出力が目標値に一致しているかどうかを判断し、一致していなければ修正動作を行うという極めて単純な制御である。よって、かかる純粋なＦＢ制御では、誤差があって初めて修正動作が実行されるため、出力が目標値付近でフラフラと変動してしまい、これが電動パワーステアリング装置においてはモータ出力のトルクリップルとして現れ、ハンドル操作に違和感を与えることになる。
【０００５】
ここで、ＦＢ制御を利用した制御装置の一例として特開２００２−２４９０６１号公報（特許文献１）があり、その内容について、図８を参照して説明する。
【０００６】
車速や操舵トルクを入力し、目標電流決定手段１２０にて電流指令値Ｉｒｅｆを算出する。つまり、図示しないトルクセンサに接続された操舵トルク検出器１０１で操舵トルクを検出し、位相補償器１０８で位相遅れを補償し、その出力を操舵トルク制御器１０２に入力する。更に車速検出器１１４で検出した車速信号を操舵トルク制御器１０２に入力し、両入力に基づきドライバがハンドルを操作して発生させた操舵トルクを補助するトルク値を決定する。そして、この補助すべきトルク値をモータ電流決定器１０７へ入力し、目標電流Ｉｒｅｆを決定する。
【０００７】
次に、目標電流Ｉｒｅｆに対し、モータ駆動器１０９の出力の実電流Ｉａｃｔをモータ電流検出器１１１で検出し、その検出電流を減算回路１１３にフィードバックし、目標電流Ｉｒｅｆと実電流Ｉａｃｔとの誤差を算出し、その誤差を第１の電流制御器１０３に入力する。基本的には、第１の電流制御器１０３の出力ＶｄＦＢでモータ駆動器１０９を駆動してモータ１１０を制御するが、上述した色々な状況でもハンドル操作がスムーズに実行されるために、以下に説明する補助信号や補助の制御ループを付加している。
【０００８】
先ず補助信号として外乱電圧Ｖｄｉｓｔ１、外乱電圧Ｖｄｉｓｔ２及び逆起電圧Ｖｂを補償し、外乱電圧推定オブザーバ１１５によって、指令値Ｖｒｅｆ通りにモータ駆動器１０９が出力しているかを観察している。トータルの外乱電圧は（Ｖｄｉｓｔ１＋Ｖｄｉｓｔ２＋Ｖｂ）であるが、逆起電圧Ｖｂは操舵速度に比例し、最大でも３Ｈｚ程度であるのに対し、ブラシ振動や転流リップルによる外乱電圧は２０〜２００Ｈｚなので、ハイパスフィルタ１１６を利用して逆起電圧Ｖｂを取り除き、外乱電圧Ｖｄｉｓｔのみを取り出している。取り出された外乱電圧Ｖｄｉｓｔを第２の電流制御器１０５に入力し、その出力を加算回路１１２ａでＶｄＦＢと加算し、モータ駆動指令電圧Ｖｒｅｆを算出している。このモータ駆動指令電圧Ｖｒｅｆは上述した基本制御のＶｒｅｆと異なり、外乱電圧を含めて修正したモータ駆動指令電圧Ｖｒｅｆなので、基本制御に比較して、上述した色々なハンドル操作状況にも対応してハンドルをスムーズに操作できるようにしている。
【０００９】
よって、このような構成の制御装置で色々なハンドル操作状況に対応しようとすると、ハイパスフィルタ１１６、第２電流制御器１０５などの複雑な制御要素を付加する必要があり、複雑な制御回路になってしまう。
【特許文献１】特開２００２−２４９０６１号公報
【発明の開示】
【発明が解決しようとする課題】
【００１０】
上述したように、ＦＢ制御の制御対象であるモータに含まれる線形要素と非線形要素とを混在させた状態で制御をすることは、制御対象の中のどの要素が、どのように制御に影響しているかということを気にせず、とにかく出力が目標値に一致しているかどうかを判断して、一致していなければ修正動作を行うだけである。そのため、このようなＦＢ制御では、誤差があって初めて修正動作が実行されるため、出力が目標値付近でフラフラと変動してしまい（チャタリング）、これが電動パワーステアリング装置においてはモータ出力のトルクリップルとして現れ、ハンドル操作に違和感を与える。
【００１１】
本発明は上述のような事情から成されたものであり、本発明の目的は、電動パワーステアリング装置のモータモデルの非線形要素を予め補償してモータモデルを線形化すると共に、不感帯制御を行うことによりノイズの影響を除去し、制御誤差が少なく制御性も安定し、モータ出力のトルクリップルが小さく、更にハンドル操舵フィーリングの良い電動パワーステアリング装置の制御装置を提供することにある。
【課題を解決するための手段】
【００１２】
本発明は、トルクセンサからのトルク信号に基づいて操舵補助指令値を算出する操舵補助指令値算出部と、前記操舵補助指令値に基づいて電圧指令値を算出する電流制御部と、前記電圧指令値に基づいてモータを駆動するモータ駆動部とで成り、前記モータによるアシスト力を操舵系に付与するようになっている電動パワーステアリング装置の制御装置に関するものであり、本発明の上記目的は、ことによって達成される。
また、上記目的は、前記モータの逆起電圧を算出する逆起電圧算出部と、前記逆起電圧に不感帯を設定して前記電圧指令値に加算する不感帯補償部とを設けることによって達成される。
【００１３】
また、本発明の上記目的は、前記不感帯の幅を前記トルク信号に対応して可変とすることにより、或いは前記不感帯の幅を前記操舵補助指令値に対応して可変とすることにより、或いは前記不感帯の幅を前記電圧指令値に対応して可変とすることにより、或いは前記不感帯の幅をハンドル保舵状態に対応して可変とすることにより、或いは前記不感帯の幅をモータ回転速度に対応して可変とすることにより、或いは前記逆起電圧算出部が前記モータの端子間電圧及び電流に基づいて推定値を算出することによって、より効果的に達成される。
【発明の効果】
【００１４】
本発明の電動パワーステアリング装置の制御装置によれば、電動パワーステアリング装置のモータモデルの非線形要素を予め補償してモータモデルを線形化することにより、制御誤差が少なく制御性も安定して、モータ出力のトルクリップルが少ない、ハンドル操舵フィーリングの良い電動パワーステアリング装置の制御装置を提供することができる。
【００１５】
また、逆起電圧に不感帯を設けているため、ノイズの影響を除去できると共に、不感帯の幅を操舵トルク、保舵状態、電圧指令値等で可変しているため、操舵性能を損なうこともない。
【発明を実施するための最良の形態】
【００１６】
先ず、本発明の前提となる逆起電圧補償について説明する。
【００１７】
逆起電圧補償では、制御対象であるモータモデルから非線形要素を分離し、モータモデルを線形化する。モータモデルの非線形要素として、モータの逆起電圧と、その他ノイズなどの非線形要素との大きく２つの要素に分離して考えるが、予め出力に影響を及ぼしそうな状態変数である逆起電圧は算出可能である。もう１つの要素に関しては、予め出力に影響を与える状態変数が分からない場合や、外乱やノイズの影響を取り除く場合には、オブザーバ（状態観測器）を利用することができるので、オブザーバを利用してもう１つの非線形要素を抽出する。
【００１８】
前記（１）式において、逆起電圧ＥＭＦが完全に補償されていれば、（１）式は下記（３）式で表わされる。
Ｉ／Ｖ＝１／（Ｒｎ＋ｓ・Ｌｎ）＝Ｐｎ      …（３）
ここで、Ｒｎは定挌モータ抵抗値、Ｌｎは定挌モータインダクタンス値、Ｐｎは定      格モータモデルである。
上記（３）式は線形数式であるという特徴を有しており、下記（４）式のように変形できる。
Ｖ＝Ｉ・（Ｒｎ＋ｓ・Ｌｎ）＝Ｉ・Ｐｎ−１      …（４）
上記（４）式を、制御目標として書き表すと下記（５）式となる。
Ｖｒｅｆ＝Ｉｒｅｆ・（Ｒｎ＋ｓ・Ｌｎ）＝Ｉｒｅｆ・Ｐｎ−１      …（５）
よって、電流指令値Ｉｒｅｆを入力することにより、直接電圧指令値Ｖｒｅｆを算出することができる。
【００１９】
入力信号にノイズが乗るなどの現実的問題を考慮すると、１次遅れのローパスフィルタ（以下、「ＬＰＦ」と記す）を通過させる必要がある。ＬＰＦを通過させると、（５）式は下記（６）式になる。
Ｖｒｅｆ＝Ｉｒｅｆ・（Ｒｎ＋ｓ・Ｌｎ）／（１＋ｓ・Ｔ）
＝Ｉｒｅｆ・Ｐｎ−１／（１＋ｓ・Ｔ）        …（６）
ここで、Ｔ＝１／２πｆｃであり、ＴはＬＰＦの時定数、ｆｃはカットオフ周波数      である。
よって、（６）式がＦＦ（フィードフォワード）制御の基本伝達関数となる。しかし、（６）式はモータの電気的特性であるモータ抵抗値及びインダクタンス値だけをモデル化したものなので、この（６）式が実際のモータ制御で成立する条件は、
（ａ）逆起電圧が完全に補償されていること
（ｂ）モータモデルが正しいこと
（ｃ）その他、検出エラー或いはアナログデジタル変換ノイズなどのシステムモデルの不      完全要素がないこと
である。
【００２０】
そこで、従来は上記条件（ａ）、（ｂ）及び（ｃ）に対して、線形要素も非線形要素も混在した状態でＦＦ制御を実行するため、大きな制御誤差が残る結果になっていた。また、従来技術のＦＢ制御の説明で参照した図８の外乱電圧推定オブザーバ１１５をＦＦ制御に用いて、上記条件（ａ）、（ｂ）及び（ｃ）の全てを外乱オブザーバで補償しようとしても、逆起電圧の値が外乱電圧推定オブザーバ１１５で補償できる範囲を超えていために十分に補償できず、やはり相当な量の制御誤差が残る結果になっていた。
【００２１】
そこで、本発明では、条件（ａ）については外乱オブザーバではなく、直接逆起電圧の補償ループを基本制御ループに付加する。条件（ｂ）はモータの温度変化などで完全に正しいモデル化は困難である。また、条件（ｃ）も検出エラーやアナログディジタル変換など非線形要素が含まれるので、条件（ｃ）も完全に正しいモデル化は困難である。よって、条件（ｂ）及び（ｃ）には外乱オブザーバを適用して補償すれば良い。
【００２２】
次に、逆起電圧を補償したＦＦ制御の実施例について、図１を参照して説明する。
【００２３】
トルク指令値Ｔｒｅｆ及び車速Ｖが操舵補助指令値算出部１０に入力され、操舵補助指令値算出部１０から算出された操舵補助指令値Ｉｒｅｆが出力され、フィードフォワード型の電流制御部１１に入力される。フィードフォワード型の電流制御部１１には、時定数の小さい１次遅れ回路などが使用されている。電流制御部１１からの電圧指令値Ｖｒｅｆは、加算部１８を経由してモータ１４を駆動制御するモータ駆動部に入力される。モータ駆動部は、ＰＷＭ制御部１２及びインバータ１３で構成されている。
【００２４】
逆起電圧ＥＭＦを算出するために、電流検出器１５によってモータ電流Ｉが検出され、電圧検出器１６によってモータ電圧Ｖが検出され、これら電圧Ｖ及び電流Ｉが逆起電圧算出部１７に入力されてモータ１４の逆起電圧ＥＭＦが算出される。逆起電圧算出部１７は、検出されたモータ電流Ｉを入力とする伝達関数部１７−１と、モータ電圧Ｖをろ過するＬＰＦ１７−３と、伝達関数部１７−１の出力及びＬＰＦ１７−３の出力を減算する減算部１７−２とを具備しており、減算部１７−２の出力が逆起電圧ＥＭＦとなる。ここで、伝達関数部１７−１の具体的関数は（６）式の（Ｒ＋ｓ・Ｌ）／（１＋ｓ・Ｔ）である。逆起電圧算出部１７で算出された逆起電圧ＥＭＦは加算部１８にフィードバックされ、電流制御部１１からの電圧指令値Ｖｒｅｆに逆起電圧ＥＭＦを加算し、電圧指令値（Ｖｒｅｆ＋ＥＭＦ）を形成するようになっている。
【００２５】
このような構成において、その動作を説明する。
【００２６】
トルク指令値Ｔｒｅｆ及び車速Ｖにより操舵補助指令値算出部１０で操舵補助指令値Ｉｒｅｆが算出され、この操舵補助指令値Ｉｒｅｆは１次遅れ伝達関数などが適用される電流制御部１１に入力される。電流制御部１１からは電圧指令値Ｖｒｅｆが出力され、加算部１８に逆起電圧ＥＭＦと共に入力される。
【００２７】
逆起電圧ＥＭＦは（１）式に基づいて、逆起電圧算出部１７で算出される。即ち、検出されたモータ電流Ｉを伝達関数部１７−１に入力し、その出力である（Ｒ＋ｓ・Ｌ）・Ｉ／（１＋ｓ・Ｔ）と、検出されたモータ電圧ＶのＬＰＦ出力とを減算部１７−２で減算することによって逆起電圧ＥＭＦが求められる。逆起電圧算出部１７からの逆起電圧ＥＭＦは加算部１８で電流制御部１１からの電圧指令値Ｖｒｅｆと加算され、電圧指令値（Ｖｒｅｆ＋ＥＭＦ）が算出されてＰＷＭ制御部１２に入力される。この結果、モータ１４は電圧指令値（Ｖｒｅｆ＋ＥＭＦ）によって、非線形要素である逆起電圧ＥＭＦが予め補償された状態で制御される。
【００２８】
このように、電動パワーステアリング装置のモータモデルの非線形要素を予め補償してモータモデルを線形化しているので、制御誤差が少なく制御性も安定して、モータ出力のトルクリップルが少ない、ハンドル操舵フィーリングの良い電動パワーステアリング装置の制御装置を提供することができる。
【００２９】
ここにおいて、近年電動パワーステアリング搭載車両の大型化、電動パワーステアリングの高出力化が進み、モータトルク定数の増加や大電流化が加速している。しかしながら、情報の演算処理を実行するＣＰＵ（ＭＰＵも含む）のＡ／Ｄ分解能は、従前の１０ビットのまま変わっていないのが実状であり、大電流化により分解能が粗くなる。例えば図１では、逆起電圧算出部１７をソフトウェア若しくはディジタル系で構成する場合、電流検出器１５からの電流Ｉ及び電圧検出器１６からの電圧ＶをＡ／Ｄ変換する必要があり、逆起電圧算出部１７と各検出器１５，１６との間或いは逆起電圧算出部１７内にＡ／Ｄ変換器を設ける必要がある。
【００３０】
また、モータトルク定数の増加により、内部値１ビット当たりのトルクが増加する。その結果、内部値１ビットのずれで発生するトルクリップルが、ハンドルトルクに換算してドライバの手に感じられるレベルまで迫って来ており、従来問題視されなかった１、２ビット（内部値で０〜３）程度の誤差も無視できなくなって来た。特に保舵時は、検出値に含まれるノイズ（１、２ビット（内部値で０〜３）程度）がトルクリップルとなってしまう。そこで、逆起電圧経路に不感帯を設けて補償し、ノイズの影響を除去する必要がある。
【００３１】
図２は本発明の第１実施例を図１に対応させて示しており、逆起電圧算出部１７の出力側に、操舵補助指令値Ｉｒｅｆに感応して不感帯の幅（不感帯値）を可変する不感帯補償部３０を設けている。不感帯補償部３０で不感帯を補償された逆起電圧補償値ＥＭＦａが算出され、逆起電圧補償値ＥＭＦａが加算部１８に入力されている。加算部１８で加算された（Ｖｒｅｆ＋ＥＭＦａ）が電圧指令値としてモータ駆動部に入力される。
【００３２】
不感帯補償部３０は図３に示す構成となっており、操舵補助指令値Ｉｒｅｆを入力して絶対値｜Ｉｒｅｆ｜を得る絶対値化部３１と、絶対値化部３１で求められた絶対値｜Ｉｒｅｆ｜に対応して不感帯値ＤＢを算出する不感帯値算出部３２と、逆起電圧ＥＭＦの絶対値｜ＥＭＦ｜を求める絶対値化部３４と、絶対値化部３４からの絶対値｜ＥＭＦ｜と不感帯算出部３２からの不感帯値ＤＢとを比較して不感帯付きの逆起電圧補償値ＥＭＦａを出力する比較出力部３３とを具備している。
【００３３】
このような構成において、絶対値化部３１及び３４はそれぞれ操舵補助指令値Ｉｒｅｆ及び逆起電圧ＥＭＦの絶対値｜Ｉｒｅｆ｜及び｜ＥＭＦ｜を求めて出力する。絶対値｜Ｉｒｅｆ｜は不感帯値算出部３２に入力され、例えば図４に示す特性に従って不感帯値ＤＢを算出する。即ち、不感帯値ＤＢは絶対値｜Ｉｒｅｆ｜の1次式で、下記（７）式のように算出される。
ＤＢ＝ａ・｜Ｉｒｅｆ｜＋ｂ      …（７）
ここで、ａ，ｂは定数である。
なお、本例では不感帯値ＤＢを上記（７）式の1次式で算出しているが、１次式の組み合わせ、２次式以上の高次式或いはデータテーブルで算出することも可能である。また、符号判定のため、逆起電圧ＥＭＦも比較出力部３３に入力されている。
【００３４】
不感帯値算出部３２で算出された不感帯値ＤＢは比較出力部３３に入力され、絶対値化部３４からの絶対値｜ＥＭＦ｜と比較され処理される。比較出力部３３は所定の演算処理を実行し、逆起電圧補償値ＥＭＦａを出力する。
【００３５】
比較出力部３３の動作を、図５のフローチャートを参照して説明する。
【００３６】
先ず不感帯値算出部３２からの不感帯値ＤＢを入力し（ステップＳ１）、逆起電圧算出部からの逆起電圧ＥＭＦ及び絶対値化部３４からの絶対値｜ＥＭＦ｜を入力する（ステップＳ２）。なお、不感帯値ＤＢ、逆起電圧ＥＭＦ及び絶対値｜ＥＭＦ｜の入力の順番は任意である。
【００３７】
次に、不感帯値ＤＢと絶対値｜ＥＭＦ｜の大小を比較し（ステップＳ３）、不感帯値ＤＢが絶対値｜ＥＭＦ｜よりも大きい場合には不感帯となる“０”を出力する（ステップＳ７）。また、上記ステップＳ３で、不感帯値ＤＢが絶対値｜ＥＭＦ｜以下の場合には逆起電圧ＥＭＦの符号（正負）を判定し（ステップＳ４）、逆起電圧ＥＭＦが正又は０の場合には“｜ＥＭＦ｜−ＤＢ”を出力し（ステップＳ５）、逆起電圧ＥＭＦが負の場合には“−｜ＥＭＦ｜−ＤＢ”を出力する（ステップＳ６）。その結果、不感帯補償部３０からは、例えば図６に示すような特性の逆起電圧補償値ＥＭＦａが出力される。
【００３８】
上述の第１実施例では、操舵補助指令値の絶対値｜Ｉｒｅｆ｜に対応して不感帯値ＤＢを変えるようにしているが、保舵状態に対応して不感帯値ＤＢを変えるようにしても良い。図７はその構成例を示している。
【００３９】
保舵状態はハンドルが回転していない状態であり、保舵状態判定部４０はモータ１４が回転していない状態（停止）を判定し、保舵状態のときに保舵信号ＨＳを出力する。保舵信号ＨＳは不感帯補償部３０Ａに入力され、保舵信号ＨＳが入力されることによって不感帯値を大きくする。なお、保舵状態はモータ位置情報、車速等から低速操舵時を認識し、保舵状態とすることで可能である。
【００４０】
更に、不感帯値の設定は電圧指令値（電流指令値）やモータ回転速度等によって可変とするようにしても良い。
【００４１】
逆起電圧ＥＭＦに不感帯を設定した逆起電圧補償値ＥＭＦａを電圧指令値に印加しているので、モータ駆動部のＰＷＭのデューティ出力がチャタリングすることもなく、ノイズも発生することがなくなる。
【００４２】
なお、上述ではモータの逆起電圧を推定によって求めているが、実際の計測値を用いることも可能である。また、本発明の駆動系は２相又は３相のブラシレスモータ系にも適用でき、正弦波若しくは矩形波制御（例えば特開２００２−３６０４２６、特願２００３−１５３７４７（ＰＣＴ／ＪＰ２００３／０１５９００））であっても良い。
【図面の簡単な説明】
【００４３】
【図１】本発明の前提となる逆起電圧補償機能をフィードフォワード制御に適用した電動パワーステアリング装置の一例を示すブロック構成図である。
【図２】本発明の第１実施例を示すブロック構成図である。
【図３】不感帯補償部の構成例を示すブロック構成図である。
【図４】不感帯値算出の特性例を示す図である。
【図５】比較出力部の動作例を示すフローチャートである。
【図６】比較出力部の特性例を示す図である。
【図７】本発明の第２実施例を示すブロック構成図である。
【図８】従来のフィードバック制御を適用した電動パワーステアリング装置の制御系を示すブロック構成図である。
【符号の説明】
【００４４】
１０                操舵補助指令値算出部
１１                電流制御部
１２                ＰＷＭ制御部
１３                インバータ
１４                モータ
１５                電流検出器
１６                電圧検出器
１７                逆起電圧算出部
１７−１            伝達関数部
１７−２            減算部
１７−３            ＬＰＦ（ローパスフィルタ）
１８                加算部
３０、３０Ａ        不感帯補償部
３１、３４          絶対値化部
３２                不感帯値算出部
３３                比較出力部
４０                保舵状態判定部
１０１、１０２      操舵トルク検出器
１０３、１０５      電流制御器
１０７              モータ電流決定器
１０８              位相補償器
１０９              モータ駆動器
１１０              モータ
１１５              外乱電圧推定オブザーバ
１２０              目標電流決定手段
【図１】
2006143008.tif 000003
【図２】
2006143008.tif 000004
【図３】
2006143008.tif 000005
【図４】
2006143008.tif 000006
【図５】
2006143008.tif 000007
【図６】
2006143008.tif 000008
【図７】
2006143008.tif 000009
【図８】
2006143008.tif 000010